(57)【要約】【課題】霜取時の消費電力量を抑制できる冷蔵庫を提供することを目的とする。また、貯蔵室の温度上昇を抑制し、食品等の損傷を抑制できる冷蔵庫を提供することを目的とする。【解決手段】運転開始してから所定時間後に霜取りヒータへの第１回目の通電を行い、蒸発器温度検出手段が検出した温度が第１の所定温度以上になるか、あるいは霜取りヒータ通電時間が第１の所定時間以上なった場合に霜取りヒータへの通電を一時停止し、蒸発器温度検出手段の検出した温度が第２の所定温度になるか、あるいは霜取りヒータ一時停止時間が第２の所定時間になった場合に霜取りヒータへの第２回目の通電を行い、蒸発器温度検出手段が検出した温度が第３の所定温度以上になるか、あるいは霜取りヒータ通電時間が霜取りヒータへの通電を第３の所定時間以上になった場合に霜取りヒータへの通電を終了するように霜取りヒータへの通電を制御する制御手段と、を備えた。【選択図】  図１
2005037010.tif 000002
【特許請求の範囲】
【請求項１】
圧縮機、凝縮器、減圧装置、蒸発器を順次接続して冷凍サイクルを構成した冷蔵庫において、前記蒸発器の除霜を行う霜取りヒータと、前記蒸発器の温度を検出する蒸発器温度検出手段と、運転開始してから所定時間後に霜取りヒータへの第１回目の通電を行い、前記蒸発器温度検出手段が検出した温度が第１の所定温度以上になるか、あるいは前記霜取りヒータ通電時間が第１の所定時間以上なった場合に前記霜取りヒータへの通電を一時停止し、前記蒸発器温度検出手段の検出した温度が第２の所定温度になるか、あるいは前記霜取りヒータ一時停止時間が第２の所定時間になった場合に前記霜取りヒータへの第２回目の通電を行い、前記蒸発器温度検出手段が検出した温度が第３の所定温度以上になるか、あるいは前記霜取りヒータ通電時間が前記霜取りヒータへの通電を第３の所定時間以上になった場合に前記霜取りヒータへの通電を終了するように前記霜取りヒータへの通電を制御する制御手段と、を備えたことを特徴とする冷蔵庫。
【請求項２】
前記霜取りヒータへの通電一時停止時間を、前記第１回目の霜取りヒータ通電時間と同等以上の時間としたことを特徴とする請求項１に記載の冷蔵庫。
【請求項３】
圧縮機、凝縮器、減圧装置、蒸発器を順次接続して少なくとも１つ以上の冷凍サイクルを構成した冷蔵庫において、少なくとも冷蔵室を含む複数の貯蔵室から構成され、前記蒸発器によって生成された冷気を庫内の前記貯蔵室に送風する冷気送風ファンと、前記蒸発器の除霜を行う霜取りヒータと、前記蒸発器の温度を検出する蒸発器温度検知手段と、前記貯蔵室に冷気を供給するダクト内に設けられ、前記貯蔵室へ供給される冷気量を調整するダクトダンパと、霜取開始時に、前記ダクトダンパのうちの少なくとも冷蔵室用ダクトダンパを閉塞して前記霜取りヒータへの通電を行い、前記蒸発器温度検知手段の検出温度が第１の所定温度以上になるか、あるいは前記霜取りヒータへの通電時間が第１の所定時間以上になった場合に前記霜取りヒータへの通電を一時停止して前記冷蔵室用ダクトダンパを開放し、前記冷気送風ファンを運転し、その後前記蒸発器温度検知手段の検出した温度が第２の所定温度になるか、あるいは前記霜取りヒータへの一時停止時間が第２の所定時間になった場合に前記冷気送風ファンの運転停止、前記冷蔵室用ダクトダンパ閉、前記霜取りヒータへの第２回目の通電を行い、前記蒸発器温度検知手段の検出した温度が第３の所定温度以上になるか、あるいは前記霜取りヒータ通電時間が第３の所定時間経過した場合に前記霜取りヒータへの通電を終了するように制御する制御手段と、を備えたことを特徴とする冷蔵庫。
【請求項４】
圧縮機、凝縮器、減圧装置、蒸発器を順次接続して少なくとも１つ以上の冷凍サイクルを構成した冷蔵庫において、少なくとも冷蔵室および冷凍室を含む複数の貯蔵室から構成され、前記蒸発器によって生成された冷気を庫内の前記貯蔵室に送風する冷気送風ファンと、前記蒸発器の除霜を行う霜取りヒータと、前記蒸発器の温度を検出する蒸発器温度検知手段と、少なくとも冷蔵室およびに冷凍室に供給される冷気量を調整する冷蔵室用ダクトダンパ及び冷凍室用ダクトダンパと、霜取開始時には、少なくとも前記冷蔵室用ダクトダンパ及び冷凍室用ダクトダンパを閉にして、前記霜取りヒータへの通電を行い、前記蒸発器温度検知手段の検出温度が第１の所定温度以上になるか、あるいは前記霜取りヒータへの通電時間が第１の所定時間以上になった場合に前記霜取りヒータへの通電を一時停止して前記冷蔵室用ダンパを開放し、前記冷気送風ファンを運転し、その後前記蒸発器温度検知手段の検出した温度が前記第１の所定温度以上の温度である第２の所定温度になるか、あるいは前記霜取りヒータ一時停止時間が第２の所定時間になった場合に前記冷気送風ファンの運転停止、前記冷蔵室用ダンパ閉、前記霜取りヒータへの第２回目の通電を行い、前記蒸発器温度検知手段の検出した温度が前記第２の所定温度以上の温度である第３所定温度以上になるか、あるいは前記霜取りヒータ通電時間が第３の所定時間経過した場合に前記霜取りヒータへの通電を終了するように制御する制御手段と、を備えたことを特徴とする冷蔵庫。
【請求項５】
霜取開始時には、減圧装置の流路を全閉にするようにしたことを特徴とする請求項１乃至請求項４のいずれかに記載の冷蔵庫。
【請求項６】
第１回目の霜取りヒータ通電時間よりも、前記霜取りヒータへの通電を一時停止させる一時停止時間を大きくし、その後に、第２回目の霜取りヒータへの通電を行うようにしたことを特徴とする請求項３乃至請求項５のいずれかに記載の冷蔵庫。
【請求項７】
圧縮機、凝縮器、減圧装置、蒸発器を順次接続して少なくとも１つ以上の冷凍サイクルを構成し、前記蒸発器の温度を検出する蒸発器温度検出手段を備えた冷蔵庫において、前記蒸発器の霜取開始時に、霜取りヒータへの通電を行う霜取りヒータ通電ステップと、前記蒸発器温度検出手段が検出した温度が第１の所定温度以上になるか、あるいは前記霜取りヒータへの通電時間が第１の所定時間以上なった場合に前記霜取りヒータへの通電を一時停止する霜取りヒータ通電一時停止ステップと、前記蒸発器温度検出手段の検出した温度が前記第１の所定温度以上である第２の所定温度以上になるか、あるいは前記霜取りヒータへの通電一時停止時間が第２の所定時間を経過した場合に、再度前記霜取りヒータへの通電を行う霜取りヒータ再通電ステップと、前記蒸発器温度検出手段が検出した温度が前記第２の所定温度以上の温度である第３の所定温度以上になるか、あるいは前記霜取りヒータ通電時間が第３の所定時間経過した場合に前記霜取りヒータへの通電を終了する霜取りヒータ通電終了ステップと、を備えたことを特徴とする冷蔵庫の運転方法。
【発明の詳細な説明】
【０００１】
【発明の属する技術分野】
この発明は、少なくとも独立した冷蔵室を有し、食品などを貯蔵する冷凍冷蔵庫に関するものである。
【０００２】
【従来の技術】
図１３は、従来の冷凍冷蔵庫の断面図である。図１３において、１は圧縮機、４は蒸発器、７は庫内ファン、１０は上段の貯蔵室である冷蔵室、１１は中断の貯蔵室である野菜室、１２は下段の貯蔵室である冷凍室、８は貯蔵室である冷蔵室１０への冷蔵室ダクト、８ａは冷蔵室ダクト８内に設けられたダンパ、９は貯蔵室である冷凍室への冷凍室ダクト、９ａは冷凍室ダクト９内のダンパ、１３は蒸発器温度検知手段、１５は蒸発器４の霜取りヒータ、１６は制御基板を示している。
【０００３】
図１０は、従来の冷蔵庫の霜取時の動作を表す制御タイムチャート図である。図において、横軸は時間を表し、縦軸は霜取りヒータ（ＤＥＦ  ＨＴＲ）、圧縮機（ＣＯＭＰ）、庫内ＦＡＮ（ＦＡＮ）のそれぞれのオン、オフ、及び冷蔵室用ダンパ（Ｒ／Ｄ）、冷凍室用ダンパ（Ｆ／Ｄ）のそれぞれの開閉を表している。霜取開始判定実施後、霜取開始と判断した場合、圧縮機１および庫内ファン７を停止しダクト８内のダンパ８ａおよびダクト９内のダンパ９ａを閉にし、霜取りヒータに通電を開始する。
【０００４】
蒸発器温度検知手段１１からの信号を制御基板１２が認識し、蒸発器温度検知手段１１が設定温度以上に到達した場合霜取りヒータ１０への通電を停止する。そして、ダクト８内のダンパ８ａおよびダクト９内のダンパ９ａを開放し庫内ファン７および圧縮機１を運転し各貯蔵室へ冷気を送風する。（たとえば特許文献１、２参照）
【０００５】
【特許文献１】
特開平７−１２０１３０号公報
【特許文献２】
特開平８−２８５４４０号公報
【０００６】
【発明が解決しようとする課題】
霜取完了設定温度は氷が融ける０℃以上の任意の温度であり、霜取りヒータ通電時間は約２５分〜３５分程度である。霜取時間短縮による庫内温度上昇の抑制を図る場合ヒータ出力を更に上げる必要があるが、その場合にはヒータの周囲部品の熱による変形、コスト増加、消費電力増加などが懸念される。また、霜取時間を長く設定した場合には、各貯蔵室の温度上昇による食品などの損傷が懸念される。
【０００７】
また、霜取りヒータ通電時間が長い場合には、ヒータ熱による冷却器（蒸発器９内の液冷媒の急激な気化により、冷媒沸騰音が連続的に発生し、市場でのクレーム発生が懸念される。
【０００８】
ここで、特許文献１に記載されている冷蔵庫では霜取りヒータ通電終了後、庫内ファンのみの運転により蒸発器内部の残留冷媒を蒸発させ、圧縮機起動時の液バック発生を抑制するようにしているが、霜取完了後の制御であるため蒸発器温度は０℃以上の高温となっており、霜取り中の各貯蔵室の温度上昇を抑制することができず、食品等が損傷する恐れがあった。また、各貯蔵室の冷却を急ぎたい場合に庫内ファンのみの運転時間を長時間取ることが出来ず、液バック発生を抑える項かは期待できない。
【０００９】
また、特許文献２に記載の冷蔵庫では、蒸発器への着霜負荷量により霜取方法を変更している。着霜量が少量の場合は消費電力量低減の効果は得られるが、着霜量が多量の場合は消費電力量低減の効果が得られない。また、霜量を確実に検知するために温度検知手段を複数設置しなければならずコスト増加が懸念される。
【００１０】
この発明は、上述のような課題を解決するためになされたもので、霜取時の消費電力量を抑制できる冷蔵庫を提供することを目的とする。また、各貯蔵室の温度上昇を抑制し、食品等の損傷を抑制できる冷蔵庫を提供することを目的とする。更に異常音の発生を抑制できる冷蔵庫を提供することを目的とする。また、安価な霜取制御を搭載した冷蔵庫を提供することを目的とする。
【００１１】
【課題を解決するための手段】
この発明に係る冷凍冷蔵庫は、圧縮機、凝縮器、減圧装置、蒸発器を順次接続して冷凍サイクルを構成した冷蔵庫において、少なくとも冷蔵室および冷凍室とから構成され、蒸発器の除霜を行う霜取りヒータと、蒸発器の温度を検出する蒸発器温度検知手段と、運転開始してから所定時間後に霜取りヒータへの第１回目の通電を行い、蒸発器温度検出手段が検出した温度が第１の所定温度以上になるか、あるいは霜取りヒータ通電時間が第１の所定時間以上なった場合に霜取りヒータへの通電を一時停止し、蒸発器温度検出手段の検出した温度が第２の所定温度になるか、あるいは霜取りヒータ一時停止時間が第２の所定時間になった場合に霜取りヒータへの第２回目の通電を行い、蒸発器温度検出手段が検出した温度が第３の所定温度以上になるか、あるいは霜取りヒータ通電時間が霜取りヒータへの通電を第３の所定時間以上になった場合に霜取りヒータへの通電を終了するように霜取りヒータへの通電を制御する制御手段と、を備えたものである。
【００１２】
【発明の実施の形態】
実施の形態１．
図１はこの発明の実施の形態１を表す冷蔵庫の断面であり、図２はこの発明の実施の形態１を表す冷蔵庫の霜取り時の制御フローチャート図である。図において、冷蔵庫本体１００には、複数の貯蔵室（たとえば、上段に冷蔵室１０、中段に野菜室１１、下段に冷凍室１２）が設けられている。冷凍室１２の背面には圧縮機１、冷却器室３が設けられ、蒸発器４、庫内ファン７、霜取りヒータ（ＤＥＦ  ＨＴＲ）１５が冷却器室３内に設けられている。また、冷却器室３から各貯蔵室（冷蔵室１０、野菜室１１、冷凍室１２など）に冷気を供給するダクト（たとえば冷蔵室ダクト８、冷凍室ダクト９など）が設けられている。また、冷蔵室の背面には制御基板１６が設けられており、圧縮機のオン／オフ制御、各ダンパの開閉制御、霜取りヒータのオン／オフ制御、各貯蔵室の温度制御などを行う。
【００１３】
次に霜取り時の制御動作について説明する。マイコンのタイマーの時間が所定の時間に到達したかどうかなどにて霜取り開始の判定を霜取り判定ステップＳＴ１０１で実施し、霜取りを開始すると判定した場合には、圧縮機停止ステップＳＴ１０２にて圧縮機を停止し、霜取りヒータ通電ステップＳＴ１０３にて霜取りヒータ１５への通電を開始する。そして、蒸発器温度判定ステップＳＴ１０４にて、蒸発器４の温度Ｔｅが所定の第１設定温度Ｔ１以上かどうかを判定する。蒸発器４の温度Ｔｅが所定の第１設定温度Ｔ１以上の場合には、霜取りヒータ通電停止ステップＳＴ１０５にて霜取りヒータ１５への通電を停止する。
【００１４】
そして、蒸発器温度判定第２ステップＳＴ１０６にて蒸発器４の温度判定を実施し、蒸発器４の温度Ｔｅが所定の第２設定温度Ｔ２以上かどうかを判断する。蒸発器４の温度Ｔｅが所定の第２設定温度Ｔ２以上の場合には、霜取りヒータ通電ステップＳＴ１０７にて霜取りヒータ１５への通電を開始する。
【００１５】
さらに、蒸発器温度判定第３ステップＳＴ１０８にて蒸発器４の温度判定を実施し、蒸発器４の温度Ｔｅが所定の第３設定温度Ｔ３以上かどうかを判断する。蒸発器４の温度Ｔｅが所定の第３設定温度Ｔ３以上の場合には、霜取りヒータ通電停止ステップＳＴ１０９にて霜取りヒータ１５への通電を停止し、霜取制が完了し、通常運転制御ステップＳＴ１１０にて通常運転制御へと移行する。
【００１６】
以上のように、本実施の形態では、霜取り時の最初と最後のみ蒸発器の温度に基づいて霜取りヒータ１５を通電し、その他（最初の通電と最後の通電との間の時間）は霜取りヒータの通電を行わずにオフサイクル霜取りとしている。本実施の形態では、霜取りヒータ停止中のオフサイクル霜取り中には、ヒータの通電を行っていないので、電気代が削減され低コストの冷蔵庫が得られる。また、オフサイクル霜取り中であっても霜取りヒータ１５のの余熱により蒸発器４の除霜が促進されるので、問題ないレベルの霜取り効果が得られる。したがって、トータルでの霜取りヒータ通電時間の削減による省費電力量の低減を図ることができる。
【００１７】
実施の形態２．
本実施の形態では、実施の形態１と比較し、オフサイクル霜取り時間を第１霜取りヒータ通電時間と同等、あるいはそれ以上にしている。図３は本発明の実施の形態２を表す冷蔵庫の霜取り時の制御フローチャート図である。図において、実施の形態１、図１、図２と同等部分は同一の符号を付して説明は省略する。
【００１８】
マイコンのタイマーの時間が所定の時間に到達したかどうかなどにて霜取り開始の判定を霜取り判定ステップＳＴ２０１で実施し、霜取りを開始すると判定した場合には、圧縮機停止ステップＳＴ２０２にて圧縮機を停止し、霜取りヒータ通電ステップＳＴ２０３にて霜取りヒータ１５への通電を開始する。そして、蒸発器温度判定ステップＳＴ２０４にて、蒸発器４の温度Ｔｅが所定の第１設定温度Ｔ１以上かどうかを判定する。蒸発器４の温度Ｔｅが所定の第１設定温度Ｔ１以上の場合には、霜取りヒータ通電停止ステップＳＴ２０５にて霜取りヒータ１５への通電を停止する。
【００１９】
そして、蒸発器温度判定第２ステップＳＴ２０６にて蒸発器４の温度判定を実施し、蒸発器４の温度Ｔｅが所定の第２設定温度Ｔ２以上かどうかを判断する。蒸発器４の温度Ｔｅが所定の第２設定温度Ｔ２以上の場合には、霜取りヒータ停止時間判定ステップＳＴ２０７にて霜取りヒータ停止時間Ｔｈｙが所定時間ｔｙ以上かどうか判断する。霜取りヒータ停止時間（非通電時間）Ｔｈｙが所定時間ｔｙ以上の場合には、霜取りヒータ通電ステップＳＴ２０８にて霜取りヒータ１５への通電を開始する。
【００２０】
さらに、蒸発器温度判定第３ステップＳＴ２０９にて蒸発器４の温度判定を実施し、蒸発器４の温度Ｔｅが所定の第３設定温度Ｔ３以上かどうかを判断する。蒸発器４の温度Ｔｅが所定の第３設定温度Ｔ３以上の場合には、霜取りヒータ通電停止ステップＳＴ２１０にて霜取りヒータ１５への通電を停止し、霜取制が完了し、通常運転制御ステップＳＴ２１１にて通常運転制御へと移行する。
【００２１】
以上のように、本実施の形態では、実施の形態１と同様に霜取り時の最初と最後のみ蒸発器の温度に基づいて霜取りヒータ１５を通電し、その他（最初の通電と最後の通電との間）の時間ｔｈｙは霜取りヒータの通電を行わず（非通電）にオフサイクル霜取りとしている。本実施の形態では、霜取りヒータ停止中のオフサイクル霜取り中には、ヒータの通電を行っていないので、電気代が削減され低コストの冷蔵庫が得られる。
【００２２】
ここで、蒸発器４の温度Ｔｅが所定の第１設定温度Ｔ１以上かどうかを判定する蒸発器温度判定ステップＳＴ１０４の代わりに霜取りヒータ１５への通電時間ｔｈｘが第１の所定時間ｔｘ以上かどうかを判断する霜取りヒータ通電時間判断第１ステップに変更してもよく、また、蒸発器４の温度Ｔｅが所定の第３設定温度Ｔ３以上かどうかを判定する蒸発器温度判定第３ステップＳＴ１０８の代わりに霜取りヒータ１５への通電時間ｔｈｚが第３の所定時間ｔｚ以上かどうかを判断する霜取りヒータ通電時間判断第３ステップに変更してもよい。この場合の時間ｔｘ、ｔｚは実験などにより予め必要な時間を設定しておけばよい。
【００２３】
また、オフサイクル霜取り中（霜取りヒータ非通電中）であっても霜取りヒータ１５の余熱により蒸発器４の除霜が促進されるので、問題ないレベルの霜取り効果が得られる。したがって、トータルでの霜取りヒータ通電時間の削減による省費電力量の低減を図ることができる。
【００２４】
また、本実施の形態では、オフサイクル霜取り時間ｔｈｙを設定して霜取り制御を行っているので、蒸発器４の霜取りが確実に行える。また、オフサイクル時間を設定したことにより、霜取りヒータの通電時間が削減されるので、トータルでの霜取りヒータ通電時間の削減が行え、省費電力量の低減を図ることができ、省エネルギーな冷蔵庫が得られる。
【００２５】
以上、実施の形態１や実施の形態２で説明したように、冷媒を圧縮する圧縮機１、圧縮機１により圧縮された冷媒を凝縮する凝縮器（配管のみで凝縮させる場合もある）、凝縮器により凝縮された冷媒を減圧する減圧装置、減圧装置により減圧された冷媒を蒸発する蒸発器４を順次接続して冷凍サイクルを構成した冷蔵庫１００において、少なくとも冷蔵室１０、冷凍室１２とから構成され、蒸発器４の除霜を行う霜取りヒータ１５と、蒸発器４の温度を検出する蒸発器温度検知手段１３と、運転開始してから所定時間後に制御手段１６は除霜開始を判断して霜取りヒータ１５への第１回目の通電を行い、蒸発器温度検出手段１３が検出した温度Ｔｅが第１の所定温度Ｔ１以上になるか、あるいは霜取りヒータ通電時間ｔｈｘが第１の所定時間ｔｘ以上なった場合に霜取りヒータ１５への通電を一時停止し、蒸発器温度検出手段１３の検出した温度Ｔｅが第２の所定温度Ｔ２（この第２の所定温度Ｔ２は、霜取りヒータ１５への通電の一時停止の判断を第１の所定温度Ｔ１にて判断した場合は第１の所定温度Ｔ１以上の温度）になるか、あるいは霜取りヒータ１５への通電を一時停止してからの非通電時間ｔｈｙが第２の所定時間ｔｙになった場合に霜取りヒータ１５への第２回目の通電を行い、蒸発器温度検出手段１３が検出した温度Ｔｅが第３の所定温度Ｔ３（この第３の所定温度Ｔ３は、霜取りヒータ１５への第２回目の通電を行う判断を第２の所定温度Ｔ２にて判断した場合は第２の所定温度Ｔ２以上の温度）以上になるか、あるいは第２回目の霜取りヒータ通電時間ｔｈｚが第３の所定時間ｔｚ以上になった場合に霜取りヒータ１５への通電を終了するように霜取りヒータ１５への通電を制御する制御手段１６と、を備えたので、霜取りヒータ１５の通電時間が削減され、トータルでの霜取りヒータ通電時間の削減が行え、省費電力量の低減を図ることができ、省エネルギーな冷蔵庫が得られる。
【００２６】
実施の形態３．
図４は本発明の実施の形態３を表す冷蔵庫の断面図であり、図５は本発明の実施の形態３を表す冷蔵庫の霜取り時の制御フローチャート図である。図において、実施の形態１、実施の形態２、図１〜図３と同等部分は同一の符号を付して説明は省略する。
【００２７】
図において、冷蔵庫本体１００には、複数の貯蔵室（たとえば、上段に冷蔵室１０、中段に野菜室１１、下段に冷凍室１２）が設けられている。冷凍室１２の背面には圧縮機１、冷却器室３が設けられ、蒸発器４、庫内ファン７、霜取りヒータ（ＤＥＦ  ＨＴＲ）１５が冷却器室３内に設けられている。また、冷却器室３から各貯蔵室（冷蔵室１０、野菜室１１、冷凍室１２など）に冷気を供給するダクト（たとえば冷蔵室ダクト８、冷凍室ダクト９など）が設けられ、冷蔵室ダクト８内には冷蔵室ダクトダンパ８ａが設けられ、冷凍室ダクト９内には冷凍室ダクトダンパ９ａが設けられている。また、冷蔵室の背面には制御基板１６が設けられており、冷却器温度検出手段１３や他の温度検出手段などの情報に基づいて圧縮機のオン／オフ制御、各ダンパの開閉制御、霜取りヒータのオン／オフ制御、各貯蔵室の温度制御などを行う。
【００２８】
次に霜取り時の制御動作について説明する。マイコンのタイマーの時間が所定の時間に到達したかどうかなどにて霜取り開始の判定を霜取り判定ステップＳＴ３０１で実施し、霜取りを開始すると判定した場合には、圧縮機停止ステップＳＴ３０２にて圧縮機１を停止し、ダンパ閉鎖ステップＳＴ３０３にて、冷蔵室ダンパ８ａを閉鎖し、ファン運転停止ステップＳＴ３０４にて庫内ファン７を運転を停止し、霜取りヒータ通電ステップＳＴ３０５にて霜取りヒータ１５への通電を開始する。
【００２９】
そして、蒸発器温度判定ステップＳＴ３０６にて、蒸発器４の温度Ｔｅが所定の第１設定温度Ｔ１以上かどうかを判定する。蒸発器４の温度Ｔｅが所定の第１設定温度Ｔ１以上の場合には、霜取りヒータ通電停止ステップＳＴ３０７にて霜取りヒータ１５への通電を停止する。
【００３０】
そして、ダンパ開放ステップＳＴ３０８にて冷蔵室ダンパ８ａを開放し、庫内ファン運転開始ステップＳＴ３０９にて庫内ファン７を運転する。そして、蒸発器温度判定第２ステップＳＴ３１０にて蒸発器４の温度判定を実施し、蒸発器４の温度Ｔｅが所定の第２設定温度Ｔ２以上かどうかを判断する。蒸発器４の温度Ｔｅが所定の第２設定温度Ｔ２以上の場合には、ダンパ閉鎖ステップＳＴ３１１にて冷蔵室ダンパ８ａを閉鎖し、庫内ファン運転停止ステップＳＴ３１２にて庫内ファン７の運転停止し、霜取りヒータ通電ステップＳＴ３１３にて霜取りヒータ１５への通電を開始する。
【００３１】
さらに、蒸発器温度判定第３ステップＳＴ３１４にて蒸発器４の温度判定を実施し、蒸発器４の温度Ｔｅが所定の第３設定温度Ｔ３以上かどうかを判断する。蒸発器４の温度Ｔｅが所定の第３設定温度Ｔ３以上の場合には、霜取りヒータ通電停止ステップＳＴ３１５にて霜取りヒータ１５への通電を停止し、霜取制御が完了し、通常運転制御ステップＳＴ３１６にて通常運転制御へと移行する。
【００３２】
ここで、庫内ファン７の運転時の速度（回転数）は任意の速度に設定してもよい。また、ステップ３０２とステップ３０３とステップ３０４の順序は不問であり、順序が逆転しても良い。また、同時に行われても良い。また、ステップ３０８とステップ３０９の順序は不問であり、順序が逆転しても良い。また、同時に行われても良い。
【００３３】
また、ステップ３１１とステップ３１２の順序は不問であり、順序が逆転しても良い。また、同時に行われても良い。また、ステップＳＴ３０５による第１回目の霜取ヒータ通電時、庫内ファン７を運転しても良い。また、ステップＳＴ３１３による第２回目の霜取ヒータ通電時、庫内ファン７を運転しても良い。また、第１回目および第２回目の霜取ヒータ通電時共に、庫内ファン７を運転しても良い。
【００３４】
また、庫内ファン７は連続運転でなくてもよく、間欠運転しても良い。また、ステップＳＴ３０８での冷蔵室ダンパ８ａの開放制御は、冷蔵室用以外の貯蔵室用ダンパ（たとえば冷凍室ダンパ９ａなど）に対して行ってでも良い。
【００３５】
以上のように、本実施の形態では、霜取り時の最初と最後のみ蒸発器の温度に基づいて霜取りヒータ１５を通電し、その他（最初の通電と最後の通電との間の時間）は霜取りヒータの通電を行わずにオフサイクル霜取りとしている。本実施の形態では、霜取りヒータ停止中のオフサイクル霜取り中には、ヒータの通電を行っていないので、電気代が削減され低コストで省エネルギーの冷蔵庫が得られる。また、オフサイクル霜取り中であっても霜取りヒータ１５のの余熱により蒸発器４の除霜が促進されるので、熱交換性能に関して問題ないレベルの霜取り効果が得られる。したがって、トータルでの霜取りヒータ通電時間の削減による省費電力量の低減を図ることができる。
【００３６】
また、庫内ファン７のみの運転区間における霜取り中の各貯蔵室（たとえば冷蔵室１０）の温度上昇を抑制することが可能となり、霜取りヒータ１５の通電時間の低減による省費電力量の低減が行える。また、霜取り後の通常運転の初回運転サイクル時間が短縮でき、時間短縮による消費電力低減を図ることができる。
【００３７】
また、庫内ファン７を間欠運転することにより、ファン入力の低下による消費電力低減を図ることができる。また、庫内ファン７の運転速度を任意に設定することにより、例えば、庫内ファン７を高速運転することによる霜取り時間の短縮を図ることができ、各貯蔵室の温度上昇抑制を図ることができる。また、庫内ファン７を低速運転（たとえば５〜４０％程度の速度）させることによって、庫内ファン７の風切音低減による静音化を図ることができ、低騒音な冷蔵庫が得られる。
【００３８】
また、庫内ファンを中間速度（たとえば４０〜７０％程度の速度）で運転することによって、静音と省エネの両方の効果を得ることも可能であり、その設定は、消費者が任意に選択可能としても良い。また、霜取りヒータ１５の通電中に庫内ファン７を運転することにより、冷却器室３内部にてショートサイクルが発生し、このショートサイクル効果により、蒸発器４の温度上昇の度合いが加速され、霜取り時間の短縮を図ることができる。この場合の制御フローチャートは、図５におけるステップＳＴ３０４およびステップＳＴ３１１を除いたものとして考えればよい。
【００３９】
また、冷蔵室ダンパ８ａと冷凍室ダンパ９ａの両方を閉じることにより、庫内ファン７の運転中の蒸発器４の温度上昇を最低限に抑制でき、トータルでの霜取りヒータ１５の通電時間の低減による省費電力量の低減を図ることができ、霜取り後の通常運転の初回運転サイクル時間の短縮による消費電力低減を更に図ることができる。
【００４０】
実施の形態４．
図６はこの発明の実施の形態４を表す冷蔵庫の霜取り時の制御フローチャート図である。本実施の形態では、実施の形態３の制御に、霜取り制御中に減圧装置の開度を閉鎖する制御を追加している。図において、実施の形態１〜３、図１〜図５と同等部分は同一の符号を付して、説明は省略する。
【００４１】
マイコンのタイマーの時間が所定の時間に到達したかどうかなどにて霜取り開始の判定を霜取り判定ステップＳＴ５０１で実施し、霜取りを開始すると判定した場合には、圧縮機停止ステップＳＴ５０２にて圧縮機１を停止し、ダンパ閉鎖ステップＳＴ５０３にて、冷蔵室ダンパ８ａ、冷凍室ダンパ９ａのうちの少なくとも一方を閉鎖し、減圧装置閉鎖ステップＳＴ５０４にて減圧装置（たとえば開閉弁＋毛細管（前後位置は任意）、あるいは切替弁＋毛細管（前後位置は任意）あるいは膨張弁やＬＥＶなど）を閉鎖して蒸発器４への冷媒の流れ込みを遮断し、ファン運転停止ステップＳＴ５０５にて庫内ファン７を運転を停止し、霜取りヒータ通電ステップＳＴ５０６にて霜取りヒータ１５への通電を開始する。
【００４２】
そして、蒸発器温度判定ステップＳＴ５０７にて、蒸発器４の温度Ｔｅが所定の第１設定温度Ｔ１以上かどうかを判定する。蒸発器４の温度Ｔｅが所定の第１設定温度Ｔ１以上の場合には、霜取りヒータ通電停止ステップＳＴ５０８にて霜取りヒータ１５への通電を停止する。
【００４３】
そして、ダンパ開放ステップＳＴ５０９にて冷蔵室ダンパ８ａや冷凍室ダンパ９ａの少なくとも一方を開放し、庫内ファン運転開始ステップＳＴ５１０にて庫内ファン７を運転する。そして、蒸発器温度判定第２ステップＳＴ５１１にて蒸発器４の温度判定を実施し、蒸発器４の温度Ｔｅが所定の第２設定温度Ｔ２以上かどうかを判断する。蒸発器４の温度Ｔｅが所定の第２設定温度Ｔ２以上の場合には、ダンパ閉鎖ステップＳＴ５１２にて冷蔵室ダンパ８ａや冷凍室ダンパ９ａのうちの少なくとも一方を閉鎖し、庫内ファン運転停止ステップＳＴ５１３にて庫内ファン７の運転停止し、霜取りヒータ通電ステップＳＴ５１４にて霜取りヒータ１５への通電を開始する。
【００４４】
さらに、蒸発器温度判定第３ステップＳＴ５１５にて蒸発器４の温度判定を実施し、蒸発器４の温度Ｔｅが所定の第３設定温度Ｔ３以上かどうかを判断する。蒸発器４の温度Ｔｅが所定の第３設定温度Ｔ３以上の場合には、霜取りヒータ通電停止ステップＳＴ５１６にて霜取りヒータ１５への通電を停止し、減圧装置開放ステップＳＴ５１７にて減圧装置（たとえば開閉弁＋毛細管（前後位置は任意）、あるいは切替弁＋毛細管（前後位置は任意）、あるいは膨張弁やＬＥＶなど）を開放して冷媒が通常通り流れる状態にして霜取り制御が完了し、通常運転制御ステップＳＴ５１８にて通常運転制御へと移行する。
【００４５】
ここで、庫内ファン７の運転時の速度は任意の速度に設定してもよい。また、ステップ５０２とステップ５０３とステップ５０４とステップ５０５の順序は不問であり、順序が逆転しても良い。また、同時に行われても良い。また、ステップ５０９とステップ５１０の順序は不問であり、順序が逆転しても良い。また、同時に行われても良い。
【００４６】
また、ステップ５１２とステップ５１３の順序は不問であり、順序が逆転しても良い。また、同時に行われても良い。また、ステップＳＴ３０５による第１回目の霜取ヒータ通電時、庫内ファン７を運転しても良い。また、ステップＳＴ３１３による第２回目の霜取ヒータ通電時、庫内ファン７を運転しても良い。また、第１回目および第２回目の霜取ヒータ通電時共に、庫内ファン７を運転しても良い。
【００４７】
また、庫内ファン７は連続運転でなくてもよく、間欠運転しても良い。また、ステップＳＴ５０９での冷蔵室ダンパ８ａや冷凍室ダンパ９ａの開放制御は、冷蔵室用や冷凍室用以外の貯蔵室用ダンパ（たとえば野菜室ダンパや切替室ダンパなど）に対して行ってでも良い。また、各貯蔵室用ダンパの開閉制御を同時に行っても良い
【００４８】
以上のように、本実施の形態では、霜取り時の最初と最後のみ蒸発器の温度に基づいて霜取りヒータ１５を通電し、その他（最初の通電と最後の通電との間の時間）は霜取りヒータの通電を行わずにオフサイクル霜取りとしている。本実施の形態では、霜取りヒータ停止中のオフサイクル霜取り中には、ヒータの通電を行っていないので、電気代が削減され低コストの冷蔵庫が得られる。また、オフサイクル霜取り中であっても霜取りヒータ１５のの余熱により蒸発器４の除霜が促進されるので、問題ないレベルの霜取り効果が得られる。したがって、トータルでの霜取りヒータ通電時間の削減による省費電力量の低減を図ることができる。
【００４９】
また、減圧装置を閉塞することで、霜取り開始時の圧縮機１の停止後に液冷媒の冷却器４への流入が防止できるので、庫内ファン７のみによる霜取り時に冷却器４内の残留液冷媒を完全に気化させることができ、蒸発器４と圧縮機１との間に接続される液ダメ（アキュムレータ）への液冷媒の流入を防止することができる。これにより冷媒流動による冷媒音発生を抑制することができ、霜取りヒータ１５の通電時の冷媒沸騰音（冷媒気化音）もあわせて抑制が可能となる。
【００５０】
また、霜取り用ヒータ１５の通電時は全てのダンパを閉塞させるため、各貯蔵室の温度上昇を最低限に抑制することができる。また、霜取りヒータ１５の停止後、所定時間、減圧装置（たとえば切替弁など）を開放することにより、特に低圧シェルタイプの圧縮機の場合に発生する差圧起動による圧縮機起動不良を防止することができ、圧縮機１の寿命劣化を低減することができる。また、制御のみでの霜取りであるので、追加部品が少なくすみ、低コストの冷蔵庫が提供できる。
【００５１】
また、庫内ファン７のみの運転区間における霜取り中の各貯蔵室（たとえば冷蔵室１０）の温度上昇を抑制することが可能となり、霜取りヒータ１５の通電時間の低減による省費電力量の低減が行える。また、霜取り後の通常運転の初回運転サイクル時間が短縮でき、時間短縮による消費電力低減を図ることができる。
【００５２】
また、庫内ファン７を間欠運転することにより、ファン入力の低下による消費電力低減を図ることができる。また、庫内ファン７の運転速度を任意に設定することにより、例えば、庫内ファン７を高速運転することによる霜取り時間の短縮を図ることができ、各貯蔵室の温度上昇抑制を図ることができる。また、庫内ファン７を低速運転させることによって、庫内ファン７の風切音低減による静音化を図ることができ、低騒音な冷蔵庫が得られる。
【００５３】
また、庫内ファンを中間速度で運転することによって、静音と省エネの両方の効果を得ることも可能であり、その設定は、消費者が任意に選択可能としても良い。また、霜取りヒータ１５の通電中に庫内ファン７を運転することにより、冷却器室３内部にてショートサイクルが発生し、このショートサイクル効果により、蒸発器４の温度上昇の度合いが加速され、霜取り時間の短縮を図ることができる。この場合の制御フローチャートは、図５におけるステップＳＴ３０４およびステップＳＴ３１１を除いたものとして考えればよい。
【００５４】
また、冷蔵室ダンパ８ａと冷凍室ダンパ９ａの両方を閉じることにより、庫内ファン７の運転中の蒸発器４の温度上昇を最低限に抑制でき、トータルでの霜取りヒータ１５の通電時間の低減による省費電力量の低減を図ることができ、霜取り後の通常運転の初回運転サイクル時間の短縮による消費電力低減を更に図ることができる。
【００５５】
実施の形態５．
図７、図８はこの発明の実施の形態５を表す冷蔵庫の霜取り時の制御フローチャート図である。本実施の形態の図７では、実施の形態３、４に対して、第１回目の霜取りヒータへの通電判定（図５におけるＳＴ３０６）を任意に設定した所定時間にてタイマ制御するようにしている。また、図８では実施の形態３、４に対して、第１回目の霜取りヒータへの通電判定（図５におけるＳＴ３０６）、第２回目の霜取りヒータへの通電判定（図５におけるＳＴ３１０）、第３回目の霜取りヒータへの通電判定（図５におけるＳＴ３１４）を任意に設定した所定時間にてタイマ制御するようにしている。図において、実施の形態１〜４、図１〜図６と同等部分は同一の符号を付して、説明は省略する。
【００５６】
マイコンのタイマーの時間が所定の時間に到達したかどうかなどにて霜取り開始の判定を霜取り判定ステップＳＴ６０１で実施し、霜取りを開始すると判定した場合には、圧縮機停止ステップＳＴ６０２にて圧縮機１を停止し、ダンパ閉鎖ステップＳＴ６０３にて、冷蔵室ダンパ８ａを閉鎖し、ファン運転停止ステップＳＴ６０４にて庫内ファン７を運転を停止し、霜取りヒータ通電ステップＳＴ６０５にて霜取りヒータ１５への通電を開始する。
【００５７】
そして、霜取り時間判定ステップＳＴ６０６にて、霜取りヒータ通電時間ｔｈｘが所定時間ｔｘ以上かどうかを判定する。霜取りヒータ通電時間ｔｈｘが所定時間ｔｘ以上の場合には、霜取りヒータ通電一時停止ステップＳＴ６０７にて霜取りヒータ１５への通電を停止する。
【００５８】
そして、ダンパ開放ステップＳＴ６０８にて冷蔵室ダンパ８ａを開放し、庫内ファン運転開始ステップＳＴ６０９にて庫内ファン７を運転する。そして、蒸発器温度判定第２ステップＳＴ６１０にて蒸発器４の温度判定を実施し、蒸発器４の温度Ｔｅが所定の第２設定温度Ｔ２以上かどうかを判断する。蒸発器４の温度Ｔｅが所定の第２設定温度Ｔ２以上の場合には、ダンパ閉鎖ステップＳＴ６１１にて冷蔵室ダンパ８ａや冷凍室ダンパ９ａなどを閉鎖し、庫内ファン運転停止ステップＳＴ６１２にて庫内ファン７の運転停止し、霜取りヒータ通電ステップＳＴ６１３にて霜取りヒータ１５への通電を開始する。
【００５９】
さらに、蒸発器温度判定第３ステップＳＴ６１４にて蒸発器４の温度判定を実施し、蒸発器４の温度Ｔｅが所定の第３設定温度Ｔ３以上かどうかを判断する。蒸発器４の温度Ｔｅが所定の第３設定温度Ｔ３以上の場合には、霜取りヒータ通電停止ステップＳＴ６１５にて霜取りヒータ１５への通電を停止し、霜取制が完了し、通常運転制御ステップＳＴ６１６にて通常運転制御へと移行する。
【００６０】
ここで、庫内ファン７の運転時の速度は任意の速度に設定してもよい。また、ステップ６０２とステップ６０３とステップ６０４の順序は不問であり、順序が逆転しても良い。また、同時に行われても良い。また、ステップ６０８とステップ６０９の順序は不問であり、順序が逆転しても良い。また、同時に行われても良い。
【００６１】
また、ステップ６１１とステップ６１２の順序は不問であり、順序が逆転しても良い。また、同時に行われても良い。また、ステップＳＴ６０５による第１回目の霜取ヒータ通電時、庫内ファン７を運転しても良い。また、ステップＳＴ６１３による第２回目の霜取ヒータ通電時、庫内ファン７を運転しても良い。また、第１回目および第２回目の霜取ヒータ通電時共に、庫内ファン７を運転しても良い。
【００６２】
また、庫内ファン７は連続運転でなくてもよく、間欠運転しても良い。また、ステップＳＴ６０８での冷蔵室ダンパ８ａの開放制御は、冷蔵室用以外の貯蔵室用ダンパ（たとえば冷凍室ダンパ９ａなど）に対して行ってでも良い。
【００６３】
上記のように構成すると、初回霜取り時間をタイマの設定限界まで長く制御可能であり、通電時間の低減を図ることが可能となるため、低消費電力量の冷蔵庫を得ることができる。また、ファン７のみの霜取り時間を、任意に設定した所定時間によりタイマ制御するように変更してもよい。
【００６４】
また、第２回霜取りヒータ通電判定（蒸発器温度判定第２ステップＳＴ６１０）や第３回の霜取りヒータ通電判定（蒸発器温度判定第３ステップＳＴ６１４）の少なくとも１つを、任意に設定した所定時間によりタイマ制御に変更してもよい。すなわち、図８に示したように、蒸発器４の温度Ｔｅが所定の第２設定温度Ｔ２以上かどうかを判断する蒸発器温度判定第２ステップＳＴ６１０を、霜取りヒータ通電時間ｔｈｙが所定時間ｔｙ以上かどうかを判定する霜取り時間判定第２ステップに変更しても良いし、あるいは、蒸発器４の温度Ｔｅが所定の第３設定温度Ｔ３以上かどうかを判断する蒸発器温度判定第３ステップＳＴ６１４を、霜取りヒータ通電時間ｔｈｚが所定時間ｔｚ以上かどうかを判定する霜取り時間判定第３ステップに変更しても良い。
【００６５】
また、霜取ヒータ１５の通電による霜取りとファン７のみの霜取りを、任意に設定した所定時間によりタイマにより制御に変更してもよい。
【００６６】
以上のように、本実施の形態では、霜取り時の最初と最後のみ蒸発器の温度に基づいて霜取りヒータ１５を通電し、その他（最初の通電と最後の通電との間の時間）は霜取りヒータの通電を行わずにオフサイクル霜取りとしている。本実施の形態では、霜取りヒータ停止中のオフサイクル霜取り中には、ヒータの通電を行っていないので、電気代が削減され低コストの冷蔵庫が得られる。また、オフサイクル霜取り中であっても霜取りヒータ１５のの余熱により蒸発器４の除霜が促進されるので、問題ないレベルの霜取り効果が得られる。したがって、トータルでの霜取りヒータ通電時間の削減による省費電力量の低減を図ることができる。
【００６７】
また、霜取制御時間をタイマの設定限界まで制御可能であり、通電時間の抑制を図ることが可能となるため、更なる消費電力量の低減を図ることができる。また、庫内ファン７のみの運転区間における霜取り中の各貯蔵室（たとえば冷蔵室１０）の温度上昇を抑制することが可能となり、霜取りヒータ１５の通電時間の低減による省費電力量の低減が行える。また、霜取り後の通常運転の初回運転サイクル時間が短縮でき、時間短縮による消費電力低減を図ることができる。
【００６８】
また、庫内ファン７を間欠運転することにより、ファン入力の低下による消費電力低減を図ることができる。また、庫内ファン７の運転速度を任意に設定することにより、例えば、庫内ファン７を高速運転することによる霜取り時間の短縮を図ることができ、各貯蔵室の温度上昇抑制を図ることができる。また、庫内ファン７を低速運転させることによって、庫内ファン７の風切音低減による静音化を図ることができ、低騒音な冷蔵庫が得られる。
【００６９】
また、庫内ファンを中間速度で運転することによって、静音と省エネの両方の効果を得ることも可能であり、その設定は、消費者が任意に選択可能としても良い。また、霜取りヒータ１５の通電中に庫内ファン７を運転することにより、冷却器室３内部にてショートサイクルが発生し、このショートサイクル効果により、蒸発器４の温度上昇の度合いが加速され、霜取り時間の短縮を図ることができる。この場合の制御フローチャートは、図７におけるステップＳＴ６０４およびステップＳＴ６１１を除いたものとして考えればよい。
【００７０】
また、冷蔵室ダンパ８ａと冷凍室ダンパ９ａの両方を閉じることにより、庫内ファン７の運転中の蒸発器４の温度上昇を最低限に抑制でき、トータルでの霜取りヒータ１５の通電時間の低減による省費電力量の低減を図ることができ、霜取り後の通常運転の初回運転サイクル時間の短縮による消費電力低減を更に図ることができる。
【００７１】
実施の形態６．
本実施の形態では、実施の形態３〜５と比較して、ファン７のみによる霜取り時間を第１霜取りヒータ通電区間の長さ（第１霜取りヒータ通電時間）と同等、あるいはそれ以上の長さ（時間）にしている。本実施の形態の制御フローは、実施の形態３〜５までのフローチャート図（図５〜図８）にファン７のみによる霜取り区間長さの時間判定を追加すればよい。
【００７２】
本実施の形態では、霜取り時の最初と最後のみ蒸発器の温度に基づいて霜取りヒータ１５を通電し、その他（最初の通電と最後の通電との間の時間）は霜取りヒータの通電を行わずにオフサイクル霜取りとし、このオフサイクル霜取り時の庫内ファン７の運転時間を制御することによって、ファン７のみによる霜取りが確実に行え、オフサイクル時の蒸発器温度上昇により確実にトータルでの霜取ヒータ１５の通電時間が低減でき、省費電力量の低減による省エネルギーな冷蔵庫を得ることができる。
【００７３】
図９は本実施の形態を表す冷蔵庫の霜取制御を実施したときのタイムチャート図を示している。図において、横軸は時間を表し、縦軸は霜取りヒータ（ＤＥＦＨＴＲ）、圧縮機（ＣＯＭＰ）、庫内ＦＡＮ（ＦＡＮ）のそれぞれのオン、オフ、及び冷蔵室用ダンパ（Ｒ／Ｄ）、冷凍室用ダンパ（Ｆ／Ｄ）のそれぞれの開閉を表している。ここで、時間ｔｘは第１回目（最初）の霜取り時間、時間ｔｙはオフサイクル（ＤＥＦ  ＨＴＲ通電停止）霜取り時間、ｔｚは第２回目（終わり）の霜取り時間を表している。
【００７４】
霜取開始判定実施後、霜取開始と判断した場合、圧縮機１および庫内ファン７を停止しダクト８内の冷蔵室ダンパ（Ｒ／Ｄ）８ａおよびダクト９内の冷凍室ダンパ（Ｆ／Ｄ）９ａを閉にし、霜取りヒータ１５に通電を開始する。霜取りヒータ１５への通電時間を制御するので、霜取りヒータ１５への通電時間が図１０に示したような従来の冷蔵庫に比べて短縮させることができ、消費電力量の低減が行える。
【００７５】
また、従来の温度制御の場合は霜取り時間（設定時間ｔｘ、ｔｙ、ｔｚ）は成行きとなり、どの程度の時間がかかるかは蒸発器への霜の付き方や周辺条件などで変化するため確定できないため電気代がどの程度かかるかの予測が困難であり電気代の低減は見込めなかったが、本実施の形態では、通電時間ｔｘ、ｔｚや非通電時間ｔｙを蒸発器４の霜取りが可能な時間となるように実験などにより把握した時間でタイマーにて制御しているので、霜取りヒータ１５への無駄な通電を行うことがなくなり、省エネルギーな冷蔵庫が得られる。
【００７６】
ここで、設定時間ｔｘ、ｔｙ、ｔｚの時間制御の一例を説明する。初回霜取りヒータ通電時間（第１回目霜取りヒータ通電時間）ｔｘは霜の昇華を促進させるためのきっかけとして１〜１５分程度としている。オフサイクル霜取りである庫内ＦＡＮ７のみの運転時間（非通電時間）ｔｙは、消費電力量を低減するため、第２回目霜取りヒータ通電時間ｔｚが少なくなるように、実験や計算などにより検証して決定すればよく、蒸発器４の温度が０℃近傍になるまでの時間（たとえば時間Ｙは約４０〜９０分程度、好ましくは５０〜７０分程度）に設定すればよい。
【００７７】
また、庫内ＦＡＮ７のみの運転時間ｔｙを短縮して、第２回霜取りヒータ通電時間ｔｚを長くし、完全に霜が昇華するように通電時間にマージンをとっても良い（例えば、時間ｔｙは０〜５０分、時間ｔｚは１０〜３５分程度に設定すればよい）。
【００７８】
本実施の形態では、蒸発器４の霜取り時に霜取りヒータ１５への通電を行わないオフサイクル霜取りを行うようにしているので、霜取ヒータ通電時間が短縮されていることにより、冷媒にイソブタンなどの可燃性冷媒を使用した冷蔵庫の場合には、冷媒漏れ時などの着火の危険性が著しく低下し、安全性の向上した冷蔵庫が得られる。
【００７９】
また、複数の冷却器を備えた冷蔵庫の場合は、各貯蔵室への専用風路を設け、該風路内に各貯蔵室用の専用ダンパを設置して、上述した霜取り制御を実施すれば、冷却器の数量分だけオフサイクル霜取り時の非通電時間分だけ電気代が低減でき、更なる省エネルギーな冷蔵庫が得られる。
【００８０】
また、減圧装置は、全閉機能を有する切替弁と毛細管との組合せ（切替弁の配置位置は毛細管の前後どちらでもＯＫ）での使用や、膨張弁、ＬＥＶであってもでもよい。また、膨張弁、ＬＥＶの場合、全閉ではなく、音が出ない程度の小流量であってもよい。本実施の形態では、減圧装置としては、開閉弁＋毛細管（開閉弁と毛細管の前後位置は任意）、あるいは切替弁＋毛細管（開閉弁と毛細管の前後位置は任意）、あるいは膨張弁、ＬＥＶなど減圧できるものであれば何でもよい。
【００８１】
以上のように、実施の形態１〜６によれば、圧縮機１、凝縮器、減圧装置、蒸発器４を順次接続して少なくとも１つ以上の冷凍サイクルを構成した冷蔵庫１００において、少なくとも冷蔵室１０および冷凍室１２から構成され、蒸発器４によって生成された冷気を庫内の各貯蔵室（冷蔵室１０、野菜室１１、冷凍室１２など）に送風する冷気送風ファン（庫内ファン）７と、蒸発器４の除霜を行う霜取りヒータ１５と、蒸発器４の温度を検出する蒸発器温度検知手段１３と、各貯蔵室に冷気を供給するダクト内に設けられ、各貯蔵室へ供給される冷気量を調整する各貯蔵室用ダクトダンパ（冷蔵室用ダクトダンパ８ａ、冷凍室用ダクトダンパ９ａなど）と、霜取開始時に、各貯蔵室用のダクトダンパのうちの少なくとも冷蔵室用ダクトダンパ８ａを閉塞して霜取りヒータ１５への通電を行い、蒸発器温度検知手段１３の検出温度Ｔｅが第１の所定温度Ｔ１以上になるか、あるいは霜取りヒータ１５への通電時間ｔｈｘが第１の所定時間ｔｘ以上になった場合に霜取りヒータ１５への通電を一時停止して閉塞した前記冷蔵室用ダクトダンパ８ａを開放し、冷気送風ファン７を運転し、その後蒸発器温度検知手段１３の検出した温度Ｔｅが第２の所定温度Ｔ２（第２の所定温度Ｔ２は霜取りヒータ１５への通電を一時停止して閉塞した前記冷蔵室用ダクトダンパ８ａを開放する判断を第１の所定温度Ｔ１で行った場合には第１の所定温度Ｔ１以上の温度）になるか、あるいは霜取りヒータ１５への一時停止時間ｔｈｙが第２の所定時間ｔｙになった場合に冷気送風ファン７の運転停止、開放した前記冷蔵室ダクトダンパ８ａ閉、霜取りヒータ１５への第２回目の通電を行い、蒸発器温度検知手段１３の検出した温度Ｔｅが第２の所定温度Ｔ２以上の温度である第３所定温度Ｔ３（第３の所定温度Ｔ３は冷気送風ファン７の運転停止、開放した前記冷蔵室用ダクトダンパ８ａ閉、霜取りヒータ１５への第２回目の通電を行う判断を第２の所定温度Ｔ２で行った場合には第２の所定温度Ｔ２以上の温度）以上になるか、あるいは霜取りヒータ通電時間ｔｈｚが第３の所定時間ｔｚ経過した場合に霜取りヒータ１５への通電を終了するように制御する制御手段１６と、を備えたので、霜取りヒータ１５への無駄な通電を行うことがなく、また、霜取り中であっても冷蔵室８内の冷却ができ、食品などの損傷が抑制できるようになり、省エネルギーで信頼性の高い冷蔵庫が得られる。
【００８２】
また、霜取開始時には、冷蔵室用ダクトダンパ８ａ及び冷凍室用ダクトダンパ９ａを閉にして、霜取りヒータ１５への通電を行い、蒸発器温度検知手段１３の検出温度Ｔｅが第１の所定温度Ｔ１以上になるか、あるいは霜取りヒータ１５への通電時間ｔｈｘが第１の所定時間ｔｘ以上になった場合に霜取りヒータ１５への通電を一時停止して冷蔵室用ダンパ８ａを開放し、冷気送風ファン７を運転し、その後蒸発器温度検知手段１３の検出した温度Ｔｅが第２の所定温度Ｔ２になるか、あるいは霜取りヒータ一時停止時間ｔｈｙが第２の所定時間ｔｙになった場合に冷気送風ファン７の運転停止、冷蔵室用ダンパ８ａ閉、霜取りヒータ１５への第２回目の通電を行い、蒸発器温度検知手段１３の検出した温度Ｔｅが第３の所定温度Ｔ３以上になるか、あるいは霜取りヒータ通電時間ｔｈｚが第３の所定時間ｔｚ経過した場合に霜取りヒータ１５への通電を終了するように制御する制御手段１６と、を備えたので、第１回の霜取りヒータ通電区間終了後に冷気送風ファン（庫内ファン）７の運転により、冷蔵室１０内の温度上昇を抑制することが可能であり、通常運転の初回サイクルにおける圧縮機運転時間が短縮され、消費電力量が低減でき省エネルギーな冷蔵庫を得ることができる。また、霜取り中に冷蔵室用ダクトダンパ８ａを開放して冷蔵室８内の冷却を行うようにしているので、温度上昇の影響を受けにくく、食品等の損傷が抑制できる。また、霜取り中に冷凍室用ダクトダンパ１０ａを閉塞しているので、温度上昇により損傷しやすい冷凍室１０内の温度上昇が最小限に抑制でき、食品などの損傷が抑制できる信頼性の高い冷蔵庫が得られる。
【００８３】
また、霜取りヒータ１５への通電一時停止時間ｔｙを、第１回目の霜取りヒータ通電時間ｔｘと同等以上の時間としたので、通電時間を短くしても確実に除霜が行える。
【００８４】
また、霜取開始時には、減圧装置の流路を全閉にするようにしたので、霜取制御中の蒸発器４への液冷媒浸入を抑制でき、次回の圧縮機１起動時の液圧縮による異常音などの発生が抑制でき、市場などでの音に関するクレームの発生を抑制することができる。
【００８５】
第１回目の霜取りヒータ通電時間よりも、前記霜取りヒータへの通電を一時停止させる一時停止時間を大きくし、その後に、第２回目の霜取りヒータへの通電を行うようにしたので、通電時間を短くしても確実に除霜が行える。
【００８６】
また、庫内ファン７の回転数をユーザー（消費者など）が任意に設定可能とすれば、低速運転（低回転数）に設定することにより庫内ファ７ンの風切音低減による市場の音クレーム発生を抑制することが可能である。また、高速運転（高回転数）による霜取り時間短縮により消費電力量の低減が可能となる。また、中間ポイント（中回転数）に設定すれば、上記低速運転と高速運転の効果である風切音と消費電力量の両方の低減（互いに最大値ではないが）が可能となる。
【００８７】
また、圧縮機、凝縮器、減圧装置、蒸発器を順次接続して少なくとも１つ以上の冷凍サイクルを構成し、蒸発器の温度を検出する蒸発器温度検出手段１３を備えた冷蔵庫において、蒸発器４の霜取開始時に、霜取りヒータへの通電を行う霜取りヒータ通電ステップと、蒸発器温度検出手段が検出した温度が第１の所定温度以上になるか、あるいは霜取りヒータへの通電時間が第１の所定時間以上なった場合に霜取りヒータへの通電を一時停止する霜取りヒータ通電一時停止ステップと、蒸発器温度検出手段の検出した温度が第２の所定温度以上になるか、あるいは霜取りヒータへの通電一時停止時間が第２の所定時間を経過した場合に、再度霜取りヒータへの通電を行う霜取りヒータ再通電ステップと、蒸発器温度検出手段が検出した温度が第３の所定温度以上になるか、あるいは霜取りヒータ通電時間が第３の所定時間経過した場合に霜取りヒータへの通電を終了する霜取りヒータ通電終了ステップと、を備えたので、簡単な制御でありながら、確実に蒸発木の除霜が行える。
【００８８】
また、霜取ヒータ通電時間が短縮されていることにより、可燃性冷媒使用冷蔵庫においては発火の危険性が著しく低下する。
【００８９】
【発明の効果】
本発明の冷蔵庫では、霜取りヒータ１５の通電時間が削減され、トータルでの霜取りヒータ通電時間の削減が行え、省費電力量の低減を図ることができ、省エネルギーな冷蔵庫が得られる。
【図面の簡単な説明】
【図１】本発明の実施の形態１を表す冷蔵庫の断面である。
【図２】本発明の実施の形態１を表す冷蔵庫の霜取り時の制御フローチャート図である。
【図３】本発明の実施の形態２を表す冷蔵庫の霜取り時の制御フローチャート図である。
【図４】本発明の実施の形態３を表す冷蔵庫の断面図である。
【図５】本発明の実施の形態３を表す冷蔵庫の霜取り時の制御フローチャート図である。
【図６】本発明の実施の形態４を表す冷蔵庫の霜取り時の制御フローチャート図である。
【図７】本発明の実施の形態５を表す冷蔵庫の霜取り時の制御フローチャート図である。
【図８】本発明の実施の形態５を表す冷蔵庫の霜取り時の制御フローチャート図である。
【図９】本発明の実施の形態６を表す冷蔵庫の霜取制御を実施したときのタイムチャート図を示している。
【図１０】従来の冷蔵庫の霜取時の動作を表す制御タイムチャート図である。
【符号の説明】
１  圧縮機、２  凝縮器、３  冷却器室、４  蒸発器、７  庫内ファン、８  冷蔵室用ダクト、８ａ  冷蔵室用ダクトダンパ、９  冷凍室用ダクト、９ａ  冷凍室用ダクトダンパ、１０  冷蔵室、１１  野菜室、１２  冷凍室、１３  冷却器温度検知手段、１４  開閉弁、１５  霜取りヒータ（ＤＥＦ  ＨＴＲ）、１６制御基板、１００  冷蔵庫本体。
【図１】
2005037010.tif 000003
【図２】
2005037010.tif 000004
【図３】
2005037010.tif 000005
【図４】
2005037010.tif 000006
【図５】
2005037010.tif 000007
【図６】
2005037010.tif 000008
【図７】
2005037010.tif 000009
【図８】
2005037010.tif 000010
【図９】
2005037010.tif 000011
【図１０】
2005037010.tif 000012